(57)【要約】【課題】表示画面上の予め定められた特定領域が操作されたと判断され、かつ、その操作が、第１の操作検出手段により検出された場合は、予め定められた特定処理を実行し、第２の操作検出手段により検出された場合は、その操作を無効にすることができるようにする。【解決手段】情報処理装置１によれば、ＣＰＵ１１は、表示画面上の予め定められた特定領域が操作されると、当該操作が専用ペンにより行われたか否かを判断し、専用ペンにより操作された場合は、予め定められた特定処理を実行し、指により操作された場合は、当該操作を無効にする。【選択図】図２
2014021945.tif 000002
【特許請求の範囲】
【請求項１】
第１の検出方式により表示画面上の操作を検出する第１の操作検出手段と、
第２の検出方式により前記表示画面上の操作を検出する第２の操作検出手段と、
前記表示画面上の予め定められた特定領域が操作されたか否かを判断する領域判断手段と、
前記表示画面上の操作に応じて処理を実行する実行手段と、
を備え、
前記実行手段は、前記領域判断手段により前記特定領域が操作されたと判断され、かつ、前記特定領域の操作が前記第１の操作検出手段により検出された場合は、予め定められた特定処理を実行し、前記領域判断手段により前記特定領域が操作されたと判断され、かつ、前記特定領域の操作が前記第２の操作検出手段により検出された場合は、その操作を無効にする情報処理装置。
【請求項２】
特定の動作モードが設定されているかを判断するモード判断手段と、を備え、
前記実行手段は、
前記モード判断手段により前記特定の動作モードが設定されていると判断された場合は、前記領域判断手段により前記特定領域が操作されたと判断され、かつ、当該操作が前記第１の操作検出手段により検出された場合は、前記予め定められた特定処理を実行し、前記領域判断手段により前記特定領域が操作されたと判断され、かつ、前記特定領域の操作が前記第２の操作検出手段により検出された場合は、その操作を無効にする請求項１に記載の情報処理装置。
【請求項３】
特定の動作モードが設定されているかを判断するモード判断手段と、を備え、
前記実行手段は、
前記モード判断手段により前記特定の動作モード以外の動作モードが設定されていると判断された場合、前記表示画面上が操作され、当該操作が前記第１の操作検出手段により検出された場合に手書き入力処理を実行し、当該操作が前記第２の操作検出手段により検出された場合に表示画面操作処理を実行し、
前記モード判断手段により前記特定の動作モードが設定されていると判断された場合、前記領域判断手段により前記表示画面上の前記特定領域以外の領域が操作されたと判断された場合には、前記第１の操作検出手段又は前記第２の操作検出手段の何れにより当該操作が検出されても同じ処理を実行し、前記領域判断手段により前記表示画面上の前記特定領域が操作されたと判断された場合には、当該操作が前記第１の操作検出手段により検出された場合は、前記予め定められた特定処理を実行し、前記領域判断手段により前記特定領域が操作されたと判断され、かつ、前記特定領域の操作が前記第２の操作検出手段により検出された場合は、その操作を無効にする請求項１に記載の情報処理装置。
【請求項４】
前記第１の操作検出手段は、専用ペンでの操作を検出し、
前記第２の操作検出手段は、指での操作を検出する請求項１〜３の何れか一項に記載の情報処理装置。
【請求項５】
前記第１の操作検出手段は、電磁誘導方式により、磁界を発生する専用ペンでの操作を検出し、
前記第２の操作検出手段は、静電容量方式により、指での操作を検出する請求項４に記載の情報処理装置。
【請求項６】
第１の検出方式により表示画面上の操作を検出する第１の操作検出手段と、第２の検出方式により前記表示画面上の操作を検出する第２の操作検出手段と、を備える情報処理装置に用いられるコンピュータを、
前記表示画面上の予め定められた特定領域が操作されたか否かを判断する領域判断手段、
前記領域判断手段により前記特定領域が操作されたと判断され、かつ、前記特定領域の操作が前記第１の操作検出手段により検出された場合は、予め定められた特定処理を実行し、前記領域判断手段により前記特定領域が操作されたと判断され、かつ、前記特定領域の操作が前記第２の操作検出手段により検出された場合は、その操作を無効にする実行手段、
として機能させるためのプログラム。
【発明の詳細な説明】
【技術分野】
【０００１】
本発明は、情報処理装置及びプログラムに関する。
【背景技術】
【０００２】
従来、静電容量方式、抵抗膜方式、光学方式、電磁誘導方式、超音波表面弾性波方式等の様々な検出方式のタッチパネルが電子製品に搭載されている。
【０００３】
また、検出方式の異なる２種類のタッチパネルを備えたハイブリッドタッチパネルも提案されている。例えば、特許文献１には、タッチ入力手段がペンであるか指であるかを判別し、指である場合には静電容量方式のタッチパネルを駆動し、ペンである場合には抵抗膜方式のタッチパネルを駆動するハイブリッドタッチパネルが記載されている。
【先行技術文献】
【特許文献】
【０００４】
【特許文献１】特開２０１２−１８６６０号公報
【発明の概要】
【発明が解決しようとする課題】
【０００５】
ところで、タッチパネルを備えた情報処理装置は複数種類の操作者で操作される場合がある。例えば、店舗に設置される端末装置は、従業員とお客様により操作される。このような場合、在庫表示処理や端末装置の設定などの特定処理は、従業員の操作のみで実行可能とし、お客様の操作では実行できないことが好ましい。
【０００６】
しかしながら、特許文献１に記載の技術では、特定の種類の操作者のみが特定処理を実行することはできない。
また、従来、ログイン認証等によって操作者により実行可能な処理を区別することが行われているが、上述の店舗の端末装置のように、一時期に複数の操作者が操作を行うような場合には、いちいち操作者が変わる毎に認証を行うことは煩雑である。
【０００７】
本発明の課題は、表示画面上の予め定められた特定領域が操作されたと判断され、かつ、その操作が、第１の操作検出手段により検出された場合は、予め定められた特定処理を実行し、第２の操作検出手段により検出された場合は、その操作を無効にすることができるようにすることである。
【課題を解決するための手段】
【０００８】
上記課題を解決するため、請求項１に記載の発明の情報処理装置は、
第１の検出方式により表示画面上の操作を検出する第１の操作検出手段と、
第２の検出方式により前記表示画面上の操作を検出する第２の操作検出手段と、
前記表示画面上の予め定められた特定領域が操作されたか否かを判断する領域判断手段と、
前記表示画面上の操作に応じて処理を実行する実行手段と、
を備え、
前記実行手段は、前記領域判断手段により前記特定領域が操作されたと判断され、かつ、前記特定領域の操作が前記第１の操作検出手段により検出された場合は、予め定められた特定処理を実行し、前記領域判断手段により前記特定領域が操作されたと判断され、かつ、前記特定領域の操作が前記第２の操作検出手段により検出された場合は、その操作を無効にする。
【発明の効果】
【０００９】
本発明によれば、表示画面上の予め定められた特定領域が操作されたと判断され、かつ、その操作が、第１の操作検出手段により検出された場合は、予め定められた特定処理を実行し、第２の操作検出手段により検出された場合は、その操作を無効にすることができる。
【図面の簡単な説明】
【００１０】
【図１】本発明の実施形態における情報処理装置の機能的構成を示すブロック図である。
【図２】図１のＣＰＵにより実行される操作制御処理Ａを示すフローチャートである。
【図３】（ａ）は特定領域が形成された表示画面の一例を示す図、（ｂ）は特定領域を専用ペンでタッチ操作したときの表示画面の一例を示す図である。
【図４】図１のＣＰＵにより実行される操作制御処理Ｂを示すフローチャートである。
【図５】（ａ）は手書き入力処理を説明するための図、（ｂ）は表示画面操作処理を説明するための図である。
【発明を実施するための形態】
【００１１】
以下、添付図面を参照して本発明に係る好適な実施の形態を詳細に説明する。なお、本発明は、図示例に限定されるものではない。
【００１２】
［第１の実施の形態］
まず、第１の実施の形態の構成について説明する。
図１は、第１の実施の形態における情報処理装置１の機能的構成を示すブロック図である。情報処理装置１は、ユーザ操作に従って各種処理を実行するコンピュータ装置であり、例えば、ＰＣ（Personal Computer）、タブレット、携帯電話機、スマートフォン等が適用可能である。
【００１３】
図１に示すように、情報処理装置１は、ＣＰＵ（Central Processing Unit）１１と、ＲＡＭ（Random Access Memory）１２と、タッチパネル１３と、表示部１４と、記憶部１５と、通信制御部１６と、を備えて構成され、各部がバス１７を介して接続されている。
【００１４】
ＣＰＵ１１は、記憶部１５に記憶されているプログラムを読み出してＲＡＭ１２のワークエリアに展開し、展開したプログラムに従って各種処理を実行する。例えば、ＣＰＵ１１は、後述する操作制御処理Ａを実行することで、領域判断手段、実行手段、モード判断手段として機能する。
【００１５】
ＲＡＭ１２は、揮発性のメモリである。また、ＲＡＭ１２は、実行される各種プログラムやこれら各種プログラムに係るデータ等を格納するワークエリアを有する。
【００１６】
タッチパネル１３は、第１の操作検出手段としての電磁誘導方式タッチパネル１３１と、第２の操作検出手段としての静電容量方式タッチパネル１３２と、が表示部１４の表示画面上に重畳されて形成された２層式のタッチパネルである。
電磁誘導方式タッチパネル１３１は、電磁誘導方式により、磁界を発生する専用ペンによる表示部１４の表示画面上のタッチ操作を検出し、タッチ操作された位置の位置情報をＣＰＵ１１に出力する。
静電容量方式タッチパネル１３２は、静電容量方式により指等による表示部１４の表示画面上のタッチ操作を検出し、タッチ操作された位置の位置情報をＣＰＵ１１に出力する。
【００１７】
表示部１４は、ＬＣＤ（Liquid Crystal Display）等により構成され、ＣＰＵ１１からの表示制御信号に従って、各種表示を行う。
表示部１４の表示画面上の予め定められた領域には、予め定められた特定処理を実行するための隠しコマンドが対応付けられている。この隠しコマンドが対応付けられた領域を特定領域という。特定処理は、特定の動作モード（ここでは、後述する接客モード）において、特定領域が専用ペンでタッチ操作された場合にのみ、即ち、電磁誘導方式タッチパネル１３１により特定領域のタッチ操作が 検出された場合にのみ、実行される。
【００１８】
記憶部１５は、磁気記録媒体を有するＨＤＤ（Hard Disk Drive）、不揮発性の半導体メモリ等により構成される。記憶部１５には、図１に示すように、プログラム記憶部１５０が設けられている。
【００１９】
プログラム記憶部１５０には、ＣＰＵ１１で実行される制御プログラム、アプリケーションプログラム等の各種プログラム、これらのプログラムの実行に必要なデータ等が記憶されている。制御プログラムには、後述する操作制御処理Ａを実行するためのプログラムが含まれる。プログラムは、コンピュータ読み取り可能なプログラムコードの形態でプログラム記憶部１５０に格納されている。ＣＰＵ１１は、当該プログラムコードに従った動作を逐次実行する。
【００２０】
また、記憶部１５には、動作モード設定情報を始めとする各種設定情報が記憶されている。各種設定情報は、タッチパネル１３の操作により設定することができる。タッチパネル１３により設定されていない項目の設定情報については、デフォルトの設定情報が記憶されている。
【００２１】
ここで、動作モードとしては、通常モード又は接客モードの何れかが設定可能である。
通常モードは、表示部１４の表示画面上を専用ペンでタッチ操作しても指でタッチ操作しても、その操作された位置に応じた処理（同じ処理）を実行する動作モードである。接客モードは、表示部１４の表示画面上の予め定められた特定領域以外の領域については、専用ペンでタッチ操作しても指でタッチ操作してもその操作された位置に応じた処理（同じ処理）を実行するが、特定領域については、専用ペンによりタッチ操作された場合は、予め定められた特定処理を実行し、指によりタッチ操作された場合は、当該操作を無効にする動作モードである。
【００２２】
通信制御部１６は、モデム、ＴＡ（Terminal Adapter）、ルータ、ネットワークカード等により構成される。通信制御部１６は、ＬＡＮ（Local Area Network）、ＷＡＮ（Wide Area Network）、インターネット等の通信ネットワークを介して外部装置と通信接続し、データ送受信を行う。
【００２３】
次に、情報処理装置１の動作について説明する。
図２は、ＣＰＵ１１により実行される操作制御処理Ａを示すフローチャートである。操作制御処理Ａは、情報処理装置１の電源がＯＮ状態の間、ＣＰＵ１１とプログラム記憶部１５０に記憶されているプログラムとの協働により実行される。
【００２４】
まず、記憶部１５に記憶されている動作モードの設定情報が参照され、動作モードが通常モードに設定されているか又は接客モードに設定されているかが判断される（ステップＳ１）。
【００２５】
動作モードが通常モードに設定されていると判断された場合（ステップＳ１；通常モード）、タッチパネル１３によりタッチ操作が検出されたか否かが判断される（ステップＳ２）。タッチパネル１３によりタッチ操作が検出されたと判断されると（ステップＳ２；ＹＥＳ）、タッチ操作が検出された位置に応じた処理が実行され（ステップＳ３）、処理はステップＳ１に戻る。
【００２６】
ステップＳ３においては、例えば、タッチパネル１３の何れかのタッチパネルにより検出された位置情報に基づいて、タッチ操作の種類が判定され、タッチ操作が検出された位置及び判定されたタッチ操作の種類に応じて予め定められた処理が実行される。即ち、ステップＳ３においては、電磁誘導方式タッチパネル１３１によりタッチ操作が検出されても、静電容量方式タッチパネル１３２によりタッチ操作が検出されても同じ処理が実行される。
【００２７】
ここで、表示部１４の表示画面上には、現在起動中のプログラム（アプリケーションプログラム、システムプログラム等）によって、例えば、各種操作ボタン、アイコン、操作バー（スクロールバー等）、文字入力欄、手書き文字入力欄、背景等の表示構成要素が表示されている。各表示構成要素には、タッチ操作の種類に応じて予め定められた処理が対応付けられている。ＣＰＵ１１は、タッチ操作が検出された位置に表示されている表示構成要素及び判定したタッチ操作の種類に対応する予め定められた処理を実行する。タッチ操作が検出された位置に表示されている表示構成要素及びタッチ操作の種類に処理が対応付けられていない場合は、処理は実行されない。
【００２８】
タッチ操作の種類としては、例えば、タップ（表示画面上を軽く押下する操作）、スライド（表示画面上をなぞる操作）、フリック（表示画面上を軽くはらう操作）、ピンチアウト（表示画面上の押下した２点間を拡大する操作）、ピンチイン（表示画面上の押下した２点間を縮小する操作）等が挙げられる。
例えば、表示部１４の表示画面上に表示された「次へ」ボタンに対応する位置（座標）のタップ操作が検出された場合、その画面を次ページに遷移する処理が実行される。また、例えば、表示部１４の表示画面上に表示された手書き入力欄に対応する位置のスライド操作が検出された場合、検出された位置に線の描画が行われる。
【００２９】
一方、ステップＳ１において、動作モードが接客モードに設定されていると判断された場合（ステップＳ１；接客モード）、タッチパネル１３によりタッチ操作が検出されたか否かが判断される（ステップＳ４）。タッチパネル１３によりタッチ操作が検出されたと判断されると（ステップＳ４；ＹＥＳ）、タッチ操作された位置が表示部１４の表示画面上の予め定められた特定領域内であるか否かが判断される（ステップＳ５）。タッチ操作された位置が予め定められた特定領域内ではないと判断されると（ステップＳ５；ＮＯ）、タッチ操作が検出された位置に応じた処理が実行され（ステップＳ７）、処理はステップＳ１に戻る。ステップＳ７の処理は、ステップＳ３の処理と同様であるので説明を援用する。
【００３０】
ステップＳ５において、タッチ操作された位置が表示部１４の表示画面上の予め定められた特定領域であると判断されると（ステップＳ５；ＹＥＳ）、当該特定領域が専用ペンによりタッチ操作されたか否かが判断される（ステップＳ６）。ステップＳ６においては、具体的には、電磁誘導方式タッチパネル１３１によりタッチ操作が検出されたか静電容量方式タッチパネル１３２によりタッチ操作が検出されたかが判断され、電磁誘導方式タッチパネル１３１によりタッチ操作が検出されたと判断された場合、専用ペンによりタッチ操作が行われたと判断される。また、静電容量方式タッチパネル１３２によりタッチ操作が検出された場合、指によりタッチ操作が行われたと判断される。
【００３１】
ステップＳ６において、専用ペンではなく指により特定領域のタッチ操作が行われたと判断されると（ステップＳ６；ＮＯ）、処理はステップＳ１に戻る。即ち、専用ペンではなく指により特定領域のタッチ操作が行われた場合、そのタッチ操作は無効とされる。
【００３２】
一方、ステップＳ６において、専用ペンにより特定領域のタッチ操作が行われたと判断されると（ステップＳ６；ＹＥＳ）、予め定められた特定処理が実行され（ステップＳ８）、処理はステップＳ１に戻る。
情報処理装置１の電源がＯＦＦされるまで、上記操作制御処理Ａは実行され、電源がＯＦＦされると、操作制御処理Ａは終了する。
【００３３】
図３（ａ）、（ｂ）に、特定領域が形成された表示画面１４１の一例を示す。表示画面１４１は、上記操作制御処理Ａによりタッチパネル１３の操作に応じて表示された画面である。図３（ａ）、（ｂ）に示すように、表示画面１４１には、特定領域１４１ａが設けられている。特定領域１４１ａには、特定処理を実行するための隠しコマンドが対応付けられており、特定領域１４１ａが専用ペンＰによりタッチ操作された場合にのみ、特定処理が実行される。
特定処理は、特に限定されないが、例えば、図３（ｂ）に示すような設定メニューの起動や、在庫表示処理等が挙げられる。
【００３４】
例えば、商品カタログ等を表示する接客用の端末装置の場合、従業員だけでなく、お客様も自由にタッチ操作を行い、スクロールやページ捲り等を行いながら商品カタログを閲覧できることが好ましい。しかし、情報処理装置１に係る設定や在庫表示処理等については、店舗の従業員のみが実行を指示できることが好ましい。
そこで、本実施の形態における情報処理装置１を上記接客用の端末装置に適用すれば、専用のペンで特定領域をタッチ操作したときにのみ、特定処理、例えば、設定メニューの起動や在庫表示処理を実行することができるので、従業員が専用のペンで操作を行うようにすれば、ログイン認証等の煩雑な手続きを経ることなく、従業員のみが特定処理を実行することが可能となる。お客様は、専用のペンを有しておらず、指でタッチ操作を行うことになるため、特定処理を実行させることはできない。  このように、情報処理装置１の接客モードにおいては、特定の種類の操作者が専用ペンで操作を行うようにすることで、ログイン認証等の煩雑な手続きを経ることなく、特定の種類の操作者のみが特定処理を実行することが可能となる。また、タッチ操作の手段によって操作者を区別して、操作者に応じた処理のみを実行させることが可能となる。
【００３５】
［第２の実施の形態］
次に、第２の実施の形態について説明する。
第２の実施の形態において、情報処理装置１は、タッチパネル１３の所定の操作により、動作モードとしてドキュメントモード又は接客モードの何れかが設定可能である。設定された動作モードの設定情報は、記憶部１５に記憶されている。また、記憶部１５のプログラム記憶部１５０には、後述する操作制御処理Ｂを実行するためのプログラムが記憶されている。ＣＰＵ１１は、後述する操作制御処理Ｂを実行することで、領域判断手段、実行手段、モード判断手段として機能する。
【００３６】
ここで、ドキュメントモードは、例えば、ＰＤＦ（登録商標）形式やパワーポイント（登録商標）形式の資料の閲覧に適した動作モードであり、表示部１４の表示画面上が専用ペンでタッチ操作された場合は手書き入力処理を実行し、指でタッチ操作された場合には表示画面操作処理を実行する動作モードである。
接客モードは、第１の実施の形態で説明したものと同様であり、表示部１４の表示画面上の予め定められた特定領域以外の領域については、専用ペンでタッチ操作しても指でタッチ操作してもその操作された位置に応じた処理（同じ処理）を実行するが、特定領域については、専用ペンによりタッチ操作された場合は、特定処理を実行し、指によりタッチ操作された場合は、当該操作を無効にする動作モードである。
【００３７】
その他の第２の実施の形態における情報処理装置１の構成は、第１の実施の形態で図１を用いて説明したものと同様であるので説明を援用する。以下、第２の実施の形態における情報処理装置１の動作について説明する。
【００３８】
図４は、ＣＰＵ１１により実行される操作制御処理Ｂを示すフローチャートである。操作制御処理Ｂは、電源がＯＮ状態の間、ＣＰＵ１１とプログラム記憶部１５０に記憶されているプログラムとの協働により実行される。
【００３９】
まず、記憶部１５に記憶されている動作モードの設定情報が参照され、動作モードがドキュメントモードに設定されているか又は接客モードに設定されているかが判断される（ステップＳ１１）。
【００４０】
ステップＳ１１において、動作モードがドキュメントモードに設定されていると判断された場合（ステップＳ１１；ドキュメントモード）、タッチパネル１３によりタッチ操作が検出されたか否かが判断される（ステップＳ１２）。タッチパネル１３によりタッチ操作が検出されたと判断されると（ステップＳ１２；ＹＥＳ）、専用ペンによりタッチ操作されたか否かが判断される（ステップＳ１３）。ステップＳ１３においては、具体的には、電磁誘導方式タッチパネル１３１によりタッチ操作が検出されたか静電容量方式タッチパネル１３２によりタッチ操作が検出されたかが判断され、電磁誘導方式タッチパネル１３１によりタッチ操作が検出されたと判断された場合、専用ペンによりタッチ操作が行われたと判断される。また、静電容量方式タッチパネル１３２によりタッチ操作が検出された場合、指によりタッチ操作が行われたと判断される。
【００４１】
ステップＳ１３において、専用ペンによりタッチ操作が行われたと判断された場合（ステップＳ１３；ＹＥＳ）、手書き入力処理が実行され（ステップＳ１４）、処理はステップＳ１１に戻る。手書き入力処理では、図５（ａ）に示すように、静電容量方式タッチパネル１３２によりタッチ操作が検出された位置に点や線の描画が行われる。
一方、専用ペンではなく、指によりタッチ操作が行われたと判断された場合（ステップＳ１３；ＮＯ）、表示画面操作処理が実行され（ステップＳ１５）、処理はステップＳ１１に戻る。表示画面操作処理では、静電容量方式タッチパネル１３２により検出された位置情報に基づいてタッチ操作の種類が判定され、図５（ｂ）に示すように、タッチ操作の種類に応じた表示画面操作が行われる。例えば、判定されたタッチ操作の種類がスライドである場合は表示画面のスクロール、フリックである場合は表示画面上のページ捲り、ピンチアウトの場合は表示画面上の表示内容の拡大、ピンチインの場合は表示画面上の表示内容の縮小が行われる。
【００４２】
一方、ステップＳ１１において、動作モードが接客モードに設定されていると判断されると（ステップＳ１１;接客モード）、タッチパネル１３によりタッチ操作が検出されたか否かが判断される（ステップＳ１６）。タッチパネル１３によりタッチ操作が検出されたと判断されると（ステップＳ１６；ＹＥＳ）、タッチ操作された位置が表示部１４の表示画面上の予め定められた特定領域内であるか否かが判断される（ステップＳ１７）。タッチ操作された位置が予め定められた特定領域内ではないと判断されると（ステップＳ１７；ＮＯ）、タッチ操作が検出された位置に応じた処理が実行され（ステップＳ１９）、処理はステップＳ１１に戻る。ステップＳ１８の処理は、図２のステップＳ３の処理と同様であるので説明を援用する。
【００４３】
ステップＳ１７において、タッチ操作された位置が表示部１４の表示画面上の予め定められた特定領域であると判断されると（ステップＳ１７；ＹＥＳ）、当該特定領域が専用ペンによりタッチ操作されたか否かが判断される（ステップＳ１８）。ステップＳ１８においては、具体的には、電磁誘導方式タッチパネル１３１によりタッチ操作が検出されたか静電容量方式タッチパネル１３２によりタッチ操作が検出されたかが判断され、電磁誘導方式タッチパネル１３１によりタッチ操作が検出されたと判断された場合、専用ペンによりタッチ操作が行われたと判断される。また、静電容量方式タッチパネル１３２によりタッチ操作が検出された場合、指によりタッチ操作が行われたと判断される。
【００４４】
ステップＳ１８において、専用ペンではなく、指により特定領域のタッチ操作が行われたと判断されると（ステップＳ１８；ＮＯ）、処理はステップＳ１１に戻る。即ち、専用ペンではなく指により特定領域のタッチ操作が行われた場合、そのタッチ操作は無効とされる。
【００４５】
一方、ステップＳ１８において、専用ペンにより特定領域のタッチ操作が行われたと判断されると（ステップＳ１８；ＹＥＳ）、予め定められた特定処理が実行され（ステップＳ２０）、処理はステップＳ１１に戻る。特定処理は、特に限定されないが、例えば、図３（ｂ）に示す設定メニューの起動や、在庫表示処理等が挙げられる。
情報処理装置１の電源がＯＦＦされるまで、上記操作制御処理Ｂは実行され、電源がＯＦＦされると、操作制御処理Ｂは終了する。
【００４６】
第２の実施の形態の情報処理装置１においては、第１の実施の形態と同様に、接客モードにおいて、表示部１４の表示画面上の特定領域が専用ペンによりタッチ操作された場合、特定処理が実行され、専用ペンではなく指により特定領域がタッチ操作された場合、そのタッチ操作は無効とされる。
従って、第１の実施の形態と同様に、特定の種類の操作者が専用ペンで操作を行うようにすることで、ログイン認証等の煩雑な手続きを経ることなく、特定の種類の操作者のみが特定処理を実行することが可能となる。また、タッチ操作の手段によって操作者を区別して、操作者に応じた処理のみを実行させることが可能となる。
【００４７】
また、第２の実施の形態のドキュメントモードにおいては、専用ペンでタッチ操作が行われると手書き入力処理が実行され、指でタッチ操作が行われると表示画面操作処理が実行される。
従って、タッチ操作を行った手段（専用ペン又は指）の本来の用途に応じて自動的に手書き入力又は表示画面操作が切り替えられるので、利便性が向上する。
【００４８】
以上、第１、第２の実施の形態について説明したが、上記実施形態における記述内容は、本発明に係る情報処理装置１の好適な一例であり、これに限定されるものではない。
【００４９】
例えば、上記実施の形態においては、第１の操作検出手段を電磁誘導方式タッチパネル１３１、第２の操作検出手段を静電容量方式タッチパネル１３２として説明したが、これに限定されない。第１の操作検出手段としては、専用ペンでのタッチ操作のみを検出するものであればよく、第２の操作検出手段としては、専用ペンによるタッチ操作は検出不可能で、手指等によるタッチ操作を検出可能なものであれば適用可能である。
【００５０】
また、上記実施の形態においては、特定領域を１箇所として説明したが、特定領域を複数設け、各特定領域毎に異なる特定処理が実行されるようにしてもよい。
【００５１】
その他、情報処理装置を構成する各装置の細部構成及び細部動作に関しても、発明の趣旨を逸脱することのない範囲で適宜変更可能である。
【００５２】
(付記)
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
＜請求項１＞
第１の検出方式により表示画面上の操作を検出する第１の操作検出手段と、
第２の検出方式により前記表示画面上の操作を検出する第２の操作検出手段と、
前記表示画面上の予め定められた特定領域が操作されたか否かを判断する領域判断手段と、
前記表示画面上の操作に応じて処理を実行する実行手段と、
を備え、
前記実行手段は、前記領域判断手段により前記特定領域が操作されたと判断され、かつ、前記特定領域の操作が前記第１の操作検出手段により検出された場合は、予め定められた特定処理を実行し、前記領域判断手段により前記特定領域が操作されたと判断され、かつ、前記特定領域の操作が前記第２の操作検出手段により検出された場合は、その操作を無効にする情報処理装置。
＜請求項２＞
特定の動作モードが設定されているかを判断するモード判断手段と、を備え、
前記実行手段は、
前記モード判断手段により前記特定の動作モードが設定されていると判断された場合は、前記領域判断手段により前記特定領域が操作されたと判断され、かつ、当該操作が前記第１の操作検出手段により検出された場合は、前記予め定められた特定処理を実行し、前記領域判断手段により前記特定領域が操作されたと判断され、かつ、前記特定領域の操作が前記第２の操作検出手段により検出された場合は、その操作を無効にする請求項１に記載の情報処理装置。
＜請求項３＞
特定の動作モードが設定されているかを判断するモード判断手段と、を備え、
前記実行手段は、
前記モード判断手段により前記特定の動作モード以外の動作モードが設定されていると判断された場合、前記表示画面上が操作され、当該操作が前記第１の操作検出手段により検出された場合に手書き入力処理を実行し、当該操作が前記第２の操作検出手段により検出された場合に表示画面操作処理を実行し、
前記モード判断手段により前記特定の動作モードが設定されていると判断された場合、前記領域判断手段により前記表示画面上の前記特定領域以外の領域が操作されたと判断された場合には、前記第１の操作検出手段又は前記第２の操作検出手段の何れにより当該操作が検出されても同じ処理を実行し、前記領域判断手段により前記表示画面上の前記特定領域が操作されたと判断された場合には、当該操作が前記第１の操作検出手段により検出された場合は、前記予め定められた特定処理を実行し、前記領域判断手段により前記特定領域が操作されたと判断され、かつ、前記特定領域の操作が前記第２の操作検出手段により検出された場合は、その操作を無効にする請求項１に記載の情報処理装置。
＜請求項４＞
前記第１の操作検出手段は、専用ペンでの操作を検出し、
前記第２の操作検出手段は、指での操作を検出する請求項１〜３の何れか一項に記載の情報処理装置。
＜請求項５＞
前記第１の操作検出手段は、電磁誘導方式により、磁界を発生する専用ペンでの操作を検出し、
前記第２の操作検出手段は、静電容量方式により、指での操作を検出する請求項４に記載の情報処理装置。
＜請求項６＞
第１の検出方式により表示画面上の操作を検出する第１の操作検出手段と、第２の検出方式により前記表示画面上の操作を検出する第２の操作検出手段と、を備える情報処理装置に用いられるコンピュータを、
前記表示画面上の予め定められた特定領域が操作されたか否かを判断する領域判断手段、
前記領域判断手段により前記特定領域が操作されたと判断され、かつ、前記特定領域の操作が前記第１の操作検出手段により検出された場合は、予め定められた特定処理を実行し、前記領域判断手段により前記特定領域が操作されたと判断され、かつ、前記特定領域の操作が前記第２の操作検出手段により検出された場合は、その操作を無効にする実行手段、
として機能させるためのプログラム。
【符号の説明】
【００５３】
１  情報処理装置
１１  ＣＰＵ
１２  ＲＡＭ
１３  タッチパネル
１３１  電磁誘導方式タッチパネル
１３２  静電容量方式タッチパネル
１４  表示部
１５  記憶部
１５０  プログラム記憶部
１６  通信制御部
１７  バス
【図１】
2014021945.tif 000003
【図２】
2014021945.tif 000004
【図３】
2014021945.tif 000005
【図４】
2014021945.tif 000006
【図５】
2014021945.tif 000007